(57)【要約】【課題】外観の見栄えを良くするとともに、商品のバリエーションを簡単に増やすことができるスイッチ付きテーブルタップを提供する。【解決手段】器体１はボディ１０とカバー２０と中カバー３０とで構成される。中カバー３０の前面にはプラグの栓刃が夫々挿入される一対の栓刃挿入孔３３からなるプラグ差込口３４が長手方向に沿って３つ形成されており、器体１の内部には、各栓刃挿入孔３３から内部に挿入されるプラグの栓刃を夫々受ける３組の刃受ばね５２と、器体１の表面に露設された操作ハンドル５３のオン／オフ操作に応じて外部電源から対応する組の刃受ばねへの通電を個別にオン／オフするスイッチとを収納してある。装飾用の化粧カバー４０は、器体１とは別体に形成され、カバー２０の上面及び一側面を覆うようにしてカバー２０に取着されており、テーブルタップの外観の見栄えを良くしている。【選択図】      図１
2004221035.tif 000002
【特許請求の範囲】
【請求項１】
プラグの複数の栓刃がそれぞれ挿入される複数の栓刃挿入孔からなるプラグ差込口が少なくとも１つ形成された器体を有し、器体の内部に、各栓刃挿入孔から内部に挿入される栓刃をそれぞれ受ける複数の刃受ばねと、器体の表面に露設された操作部のオン／オフ操作に応じて外部電源から刃受ばねへの通電をオン／オフするスイッチとを収納し、器体とは別体に形成され、器体の表面の少なくとも一部を覆うようにして器体に取着される装飾用の化粧カバーを設けて成ることを特徴とするスイッチ付きテーブルタップ。
【請求項２】
化粧カバーは透光性の材料で形成され、操作部の近傍に配置されており、化粧カバーで覆われる器体表面の部位に対応するプラグ差込口に接続される接続機器の表示用ラベルを収納するラベル収納凹所を設けたことを特徴とする請求項１記載のスイッチ付きテーブルタップ。
【請求項３】
化粧カバーは、操作部の近傍の位置に、操作部に沿って操作部の一方の端から他方の端まで設けられたことを特徴とする請求項１又は２記載のスイッチ付きテーブルタップ。
【発明の詳細な説明】
【０００１】
【発明の属する技術分野】
本発明は、スイッチ付きテーブルタップに関するものである。
【０００２】
【従来の技術】
従来より、プラグの複数の栓刃がそれぞれ挿入される複数の栓刃挿入孔からなるプラグ差込口が少なくとも１つ形成された器体を有し、器体の内部に、各栓刃挿入孔から内部に挿入される栓刃をそれぞれ受ける複数の刃受ばねを収納したテーブルタップが提供されている（例えば、特許文献１参照）。
【０００３】
【特許文献１】
特開平１１−３２９６４０号公報（段落番号［０００９］−［００１１］、及び、第１図）
【０００４】
【発明が解決しようとする課題】
従来のテーブルタップでは、器体を装飾する部材が設けられていないため、外観の見栄えが悪いという問題があった。また、商品の見栄えを良くするために、商品の外観仕様を変更する場合には、器体全体の外観仕様を変更する必要があり、商品の品種毎に外観仕様の異なる器体を製造しなければならないから、商品の品種（バリエーション）を容易に増やすことができなかった。
【０００５】
また、特許文献１に示されるテーブルタップでは、器体表面のプラグ差込口付近の部位に、このプラグ差込口に接続される接続負荷の機器名を表示する表示用ラベルを貼り付けてあるが、表示用ラベルを器体の表面に貼り付けているので、使用中に表示用ラベルが剥がれたり、汚れたりするという問題があった。
【０００６】
本発明は上記問題点に鑑みて為されたものであり、その目的とするところは、外観の見栄えを良くするとともに、商品のバリエーションを簡単に増やすことができるスイッチ付きテーブルタップを提供することにある。また、請求項２の発明の目的とするところは、上記の目的に加えて、表示用ラベルの剥がれや汚れを防止したスイッチ付きテーブルタップを提供することにある。
【０００７】
【課題を解決するための手段】
上記目的を達成するために、請求項１の発明では、プラグの複数の栓刃がそれぞれ挿入される複数の栓刃挿入孔からなるプラグ差込口が少なくとも１つ形成された器体を有し、器体の内部に、各栓刃挿入孔から内部に挿入される栓刃をそれぞれ受ける複数の刃受ばねと、器体の表面に露設された操作部のオン／オフ操作に応じて外部電源から刃受ばねへの通電をオン／オフするスイッチとを収納し、器体とは別体に形成され、器体の表面の少なくとも一部を覆うようにして器体に取着される装飾用の化粧カバーを設けて成ることを特徴とする。
【０００８】
請求項２の発明では、請求項１の発明において、化粧カバーは透光性の材料で形成され、操作部の近傍に配置されており、化粧カバーで覆われる器体表面の部位に対応するプラグ差込口に接続される接続機器の表示用ラベルを収納するラベル収納凹所を設けたことを特徴とする。
【０００９】
請求項３の発明では、請求項１又は２の発明において、化粧カバーは、操作部の近傍の位置に、操作部に沿って操作部の一方の端から他方の端まで設けられたことを特徴とする。
【００１０】
【発明の実施の形態】
（実施形態１）
本発明の実施形態１を図１〜図４に基づいて説明する。
【００１１】
本実施形態のスイッチ付きテーブルタップは、合成樹脂製のボディ１０とカバー２０と中カバー３０とからなる細長の器体１を備える。器体１にはカバー２０の上面及び一側面の一部を覆う装飾用の化粧カバー４０が取り付けられ、さらに器体１の内部には後述のスイッチブロック５０を収納してある。また器体１の長手方向の一端部には、ボディ１０とカバー２０との接合部位に貫通孔２が形成され、この貫通孔２を通して電源コード３の一端側が器体１の内部に導入され、電源コード３を介してスイッチブロック５０が通電される。尚、電源コード３には弾性を有する合成樹脂から形成され、電源コード３の外周を覆って屈曲による芯線３ａの断線を防止するブッシング４が設けられている。また、電源コード３の他端には図示しないプラグが接続されており、このプラグを電源コンセントに差し込むことで、商用電源が電源コード３を介してテーブルタップに供給されるようになっている。
【００１２】
中カバー３０は、一側面が開口した細長略矩形箱状であって、開口と反対側の面には側方から見た形状が横長の略矩形状に形成された突台部３１が突設され、突台部３１の長手方向の両端面には前面よりも後退した位置に側方に突出する張出部３２が形成されている。そして、突台部３１には一対の栓刃挿入孔３３，３３からなるプラグ差込口３４が長手方向に沿って３つ列設されている。
【００１３】
ボディ１０は上面を開口した細長略矩形箱状に形成され、長手方向に沿う一方の側壁１０ａには中カバー３０の突台部３１前面下部を露出させる凹所１１が形成され、他方の側壁１０ｂの周縁部には係止爪１５が３箇所に設けられている。
また、ボディ１０の長手方向一端側の側壁１０ｃ周縁部には略半円形の凹部１２が形成されている。
【００１４】
また、ボディ１０の底面には、カバー２０をボディ１０にねじ止めするための組立ねじ５を挿通する組立ねじ挿通孔１３ａが形成された２つの略円筒状のボス１３が立設されている。この組立ねじ挿通孔１３ａは、ボディ１０の背面側まで貫通しており、カバー２０をボディ１０に取り付けるときには、組立ねじ５をボディ１０背面側から組立ねじ挿通孔１３ａに挿通する。カバー２０の背面側には、組立ねじ挿通孔１３ａに対応する部位にねじ穴２５ａの形成された２つの略円筒状のボス２５が突設されており、ボス１３から前方に突出する組立ねじ５の先端部を、カバー２０のねじ穴２５ａに螺着する。
【００１５】
一方、カバー２０は、図３及び図４に示すように背面が開口した細長略矩形箱状に形成され、長手方向に沿う一方の側壁２０ａには中カバー３０の突台部３１前面上部を露出させる凹所２１が形成され、他方の側壁２０ｂの周縁部には上記係止爪１５が係止する係止穴２９が３箇所に形成されている。また、カバー２０の長手方向一端側の側壁２０ｃ周縁部には、ボディ１０の凹部１２とともに貫通孔２を構成する略半円形の凹部２２が形成されている。
【００１６】
カバー２０の上面には、中カバー３０の３つのプラグ差込口３４に対応する部位に、後述するスイッチブロック５０の操作ハンドル５３をそれぞれ露出させる細長の窓孔２３が長手方向に３つ並べて形成されており、これら３つの窓孔２３は側壁２０ｂ側に寄せて設けられている。尚、カバー２０上面の窓孔２３付近の部位には「電源」の文字と操作ハンドル５３の操作方向を示す文字「入」「切」とが表示されている。
【００１７】
またカバー２０の上面には、３つの窓孔２３と側壁２０ａとの間の部位に表面がカバー２０の上面よりも後退した取付凹所２４が形成されており、この取付凹所２４に化粧カバー４０が取着される。取付凹所２４の外側縁からは背面側に向かって張出片２６が突出しており、張出片２６とカバー２０の側壁２０ａとの間には背面側に開放された保持溝２７，２７が形成されている。尚、張出片２６は背面側に行くほど側壁２０ａに近付く向きに傾斜し、保持溝２７の溝幅は背面側ほど狭くなっており、張出片２６の先端部と側壁２０ａとの間の隙間は後述する化粧カバー４０の回動軸４４の径よりも小さくなっている。
【００１８】
化粧カバー４０は、図２に示すようにカバー２０の上面を覆う細長略矩形板状の主部４１と、主部４１の長手方向に沿う一側縁から背面方向に突出してカバー２０の側壁２０ａを覆う側部４２とで断面略Ｌ字状に形成され、長手方向の両端部には主部４１と側部４２とでできる角部に横片４３がそれぞれ形成され、各横片４３に回動軸４４が突設されている。また、主部４１の長手方向に沿う他側縁には係止爪４５が３箇所に突設されている。
【００１９】
ここで、化粧カバー４０の回動軸４４，４４をカバー２０の保持溝２７，２７に背面側から嵌め込むと、カバー２０の側壁２０ａと張出片２６との間に回動軸４４が保持され、化粧カバー４０がカバー２０に回動自在に軸支される。なお、化粧カバー４０をカバー２０に取り付ける際には、回動軸４４を保持溝２７に押し込む力でカバー２０の張出片２６が側壁２０ａから離れる方向に撓められるので、化粧カバー４０の取付を容易に行えるようになっている。また、取付凹所２４の底面には、化粧カバー４０の３つの係止爪４５にそれぞれ対応する部位に係止孔２４ａが開口しており、化粧カバー４０を閉じて係止爪４５を係止孔２４ａに係止させると、化粧カバー４０が閉じた状態で保持されるのである。
【００２０】
このように本実施形態では、装飾用の化粧カバー４０を器体１とは別体に形成し、器体１の表面の少なくとも一部を覆うように器体１に取り付けているので、ボディ１０やカバー２０や中カバー３０と外観（例えば色など）の異なる化粧カバー４０を取り付けることで、器体１の外観の見栄えを良くできる。また化粧カバー４０は器体１と別体に形成してあるので、外観の仕様（例えば色など）が異なる化粧カバー４０を複数用意し、その内の何れかを取り付けることで、商品のバリエーションを簡単に増やすことができる。また更に、化粧カバー４０は操作部たる３個の操作ハンドル５３の近傍の位置に、３個の操作ハンドル５３に沿って、３個の操作ハンドル５３の一方の端から他方の端まで設けられているので、操作ハンドル５３の位置を強調して表示することができ、操作性を良好にできる。
【００２１】
また、スイッチブロック５０は細長の直方体状のケース５１を有し、各一対の栓刃挿入孔３３から内部に挿入されるプラグの栓刃をそれぞれ受ける２個で１組の刃受ばね５２をケース５１に３組保持させている。各刃受ばね５２は一枚の栓刃を挟み込んで電気的に接触する２つの接触片５２ａから構成される。そして、ケース５１の内部には各組の刃受ばね５２に対応して設けた操作ハンドル５３の操作に応じて各組の刃受ばね５２への通電を個別にオン／オフするスイッチ機構（図示せず）が収納されている。３つの操作ハンドル５３はケース５１の上面に長手方向に沿って配設されており、カバー２０の３つの窓孔２３からそれぞれ露出するようになっている。また、ケース５１の長手方向の一端部からは電源コード３の一対の芯線３ａをかしめ固定する一対のかしめ片５４が突出しており、電源コード３の芯線３ａをかしめ片５４にかしめ固定することでスイッチブロック５０に通電されるようになっている。
【００２２】
而して、上述のような本実施形態を組み立てるときには、まず電源コード３の芯線３ａをかしめ片５４にかしめ固定して、電源コード３をスイッチブロック５０に接続した後、開口内に刃受ばね５２を納めるとともに突台部３１を凹所１１から露出させるようにして中カバー３０とスイッチブロック５０とをボディ１０内に収納する。この時、中カバー３０の張出部３２が凹所１１の周縁部と係止することで中カバー３０の前方への移動が規制される。またボディ１０の底面からは、側壁１０ｃとの間にブッシング４の鍔部４ａの厚み分だけの隙間をあけて、凹部１２の両側にリブ１４，１４が突設されており、ブッシング４の鍔部４ａの下半分が側壁１０ｃとリブ１４，１４との間の隙間に挿入された状態でブッシング４がボディ１０に保持される。
【００２３】
次に上述のようにして化粧カバー４０が取り付けられたカバー２０をボディ１０に被せ、側壁２０ｂに設けた係止穴２９に側壁１０ｂに設けた係止爪１５を引掛係止させた後、ボディ１０の組立ねじ挿通孔１３ａにボディ１０の背面側から挿通した組立ねじ５をカバー２０のねじ穴２５ａに螺着することによって、カバー２０がボディ１０にねじ止めされて、テーブルタップの組立が完了する。ここで、ボディ１０をカバー２０にねじ止めして取り付けたときには、ボディ１０の凹部１２とカバー２０の凹部２２とで貫通孔２が形成され、電源コード３がこの貫通孔２を介して器体１の外部に導出された状態となる。なお、カバー２０の背面側にはリブ１４，１４と対向する部位にリブ２８，２８が突設されており、ボディ１０とカバー２０とを結合すると、鍔部４ａの上半分がカバー２０の側壁２０ｃとリブ２８，２８との間に挿入されて器体１に固定される。またこの時、器体１から引き出される電源コード３の部位はブッシング４によって保護され、屈曲による芯線３ａの断線が防止されるのである。
【００２４】
（実施形態２）
本発明の実施形態２を図５に基づいて説明する。尚、スイッチ付きテーブルタップの基本的な構成は上述した実施形態１と同様であるので、共通する構成要素には同一の符号を付して、その説明は省略する。
【００２５】
本実施形態では、透光性の材料から形成された化粧カバー４０’を用いるとともに、化粧カバー４０’で覆われる取付凹所２４の底面において、各操作ハンドル５３と対応するプラグ差込口３４との間の部位に、対応するプラグ差込口３４に接続される接続機器の機器名を表示する表示用ラベル６のラベル収納凹所２４ｂを形成してある。
【００２６】
このように、取付凹所２４の底面には、各操作ハンドル５３の近傍に、対応するプラグ差込口３４に接続される接続機器の表示用ラベル６を収納するラベル収納凹所２４ｂが形成されているので、表示用ラベル６の表示から接続機器の機器名を容易に把握することができる。また、表示用ラベル６は透光性の材料で形成された化粧カバー４０’で覆われているので、表示用ラベル６が汚れたり、剥がれたりするのを防止できる。
【００２７】
【発明の効果】
上述のように、請求項１の発明は、プラグの複数の栓刃がそれぞれ挿入される複数の栓刃挿入孔からなるプラグ差込口が少なくとも１つ形成された器体を有し、器体の内部に、各栓刃挿入孔から内部に挿入される栓刃をそれぞれ受ける複数の刃受ばねと、器体の表面に露設された操作部のオン／オフ操作に応じて外部電源から刃受ばねへの通電をオン／オフするスイッチとを収納し、器体とは別体に形成され、器体の表面の少なくとも一部を覆うようにして器体に取着される装飾用の化粧カバーを設けて成ることを特徴とし、器体と外観の異なる化粧カバーを取り付けることで、器体の外観の見栄えを良くすることができ、且つ化粧カバーは器体と別体に形成されているので、外観の仕様が異なる化粧カバーを複数用意し、その内の何れかを取り付けることで、商品のバリエーションを簡単に増やすことができる。
【００２８】
請求項２の発明は、請求項１の発明において、化粧カバーは透光性の材料で形成され、操作部の近傍に配置されており、化粧カバーで覆われる器体表面の部位に対応するプラグ差込口に接続される接続機器の表示用ラベルを収納するラベル収納凹所を設けたことを特徴とし、表示用ラベルの表示から接続機器を容易に把握することができ、しかも表示用ラベルは透光性の材料で形成された化粧カバーで覆われているので、表示用ラベルが汚れたり、剥がれたりするのを防止できる。
【００２９】
請求項３の発明は、請求項１又は２の発明において、化粧カバーは、操作部の近傍の位置に、操作部に沿って操作部の一方の端から他方の端まで設けられたことを特徴とし、化粧カバーによって操作ハンドルの位置を強調して表示することができ、操作性を良好にできる。
【図面の簡単な説明】
【図１】実施形態１のスイッチ付きテーブルタップの分解斜視図である。
【図２】同上に用いる化粧カバーを示し、（ａ）は正面図、（ｂ）は下側から見た側面図、（ｃ）は背面図、（ｄ）は右側から見た側面図である。
【図３】同上に用いるカバーを示し、（ａ）は正面図、（ｂ）は下側から見た側面図である。
【図４】同上に用いるカバーを示し、（ａ）は背面図、（ｂ）は左側から見た側面図、（ｃ）はＡ−Ａ断面図である。
【図５】実施形態２のスイッチ付きテーブルタップの化粧カバーを外した状態の外観斜視図である。
【符号の説明】
１    器体
１０  ボディ
２０  カバー
３０  中カバー
３３  栓刃挿入孔
３４  プラグ差込口
４０  化粧カバー
５２  刃受ばね
５３  操作ハンドル
【図１】
2004221035.tif 000003
【図２】
2004221035.tif 000004
【図３】
2004221035.tif 000005
【図４】
2004221035.tif 000006
【図５】
2004221035.tif 000007